(57)【要約】【課題】車椅子の人や身体障害者や椅子に腰掛けたまま作業する人などが使用する場合に、容易且つ安全に操作できる自動原稿送り装置及び画像形成装置を提供する。【解決手段】原稿ｄを載置する原稿給紙皿１１と、原稿給紙皿１１の下方に配置され、読み取り終了後に排出される原稿ｄを載置する原稿排紙皿１８と、を有する自動原稿送り装置１０を備えた画像形成装置において、原稿給紙皿１１は軸受部材４２Ａ，４２Ｂにより回動可能に支持され、原稿給紙皿１１に係合する回動手段４０により回動されて、原稿排紙皿１８の上方空間を開放可能にする画像形成装置。【選択図】　　　　図２
2004021189.tif 000002
【特許請求の範囲】
【請求項１】
原稿を載置する原稿給紙皿と、前記原稿給紙皿の下方に配置され、読み取り終了後に排出される原稿を載置する原稿排紙皿と、を有する自動原稿送り装置を備えた画像形成装置において、
前記原稿給紙皿は軸受部材により回動可能に支持され、前記原稿給紙皿に係合する回動手段により回動されて、前記原稿排紙皿の上方空間を開放可能にすることを特徴とする画像形成装置。
【請求項２】
前記回動手段は、手動又は電動の操作により前記原稿給紙皿を回動可能にすることを特徴とする請求項１に記載の画像形成装置。
【請求項３】
原稿を載置する原稿給紙皿と、前記原稿給紙皿の下方に配置され、読み取り終了後に排出される原稿を載置する原稿排紙皿と、を有する自動原稿送り装置を備えた画像形成装置において、
前記原稿給紙皿は軸受部材を中心にして回動可能に支持され、
前記原稿給紙皿に係合して回動させ前記原稿排紙皿の上方空間を開放させる回動手段は、前記自動原稿送り装置又は画像形成装置に設けた動作開始手段により回動が開始されることを特徴とする画像形成装置。
【請求項４】
原稿を載置する原稿給紙皿と、前記原稿給紙皿上の原稿を給送して原稿画像読み取り部に搬送したのち排出する原稿搬送手段と、前記原稿給紙皿の下方に配置され読み取り終了後に排出される原稿を載置する原稿排紙皿と、を有する自動原稿送り装置を備えた画像形成装置において、
軸受部材を中心にして回動可能に支持された原稿排紙皿と、
前記原稿排紙皿に係合して前記原稿排紙皿の奥側を持ち上げて傾斜状にする移動手段と、
を有することを特徴とする画像形成装置。
【請求項５】
原稿を載置する原稿給紙皿と、前記原稿給紙皿の下方に配置され、読み取り終了後に排出される原稿を載置する原稿排紙皿と、を有する自動原稿送り装置を備えた画像形成装置において、
前記原稿給紙皿の下方に配置され、軸受部材を中心にして回動可能に支持された原稿排紙皿と、
前記原稿排紙皿に係合して前記原稿排紙皿の奥側を持ち上げて傾斜状にする移動手段と、
前記移動手段の駆動を制御する制御手段と、を有し、
前記制御手段は、読み取りを終了した原稿が前記原稿排紙皿に排出終了したタイミングで、前記移動手段を駆動して前記原稿排紙皿を傾斜状に制御することを特徴とする自動原稿送り装置を備えた画像形成装置。
【請求項６】
原稿を載置する原稿給紙皿と、前記原稿給紙皿の下方に配置され、読み取り終了後に排出される原稿を載置する原稿排紙皿と、を有する自動原稿送り装置を備えた画像形成装置において、
前記自動原稿送り装置は、前記原稿排紙皿上に排出された原稿を載置した状態で、前記原稿排紙皿を引き出し可能にする引き出し手段を有することを特徴とする画像形成装置。
【発明の詳細な説明】
【０００１】
【発明の属する技術分野】
本発明は複写機、プリンタ、ファクシミリ、及びこれらの諸機能を備えた複合機等の画像形成装置に関し、特に、画像形成装置に装着された自動原稿送り装置の原稿給紙皿、原稿排紙皿に関するものである。
【０００２】
【従来の技術】
図１０は、従来の自動原稿送り装置１０を備えた画像形成システムの一例を示す正面図である。
【０００３】
画像形成装置３０に装着された自動原稿送り装置１０の原稿給紙皿１上に載置された原稿ｄを、原稿画像読み取り装置２０の読み取り部に搬送したのち、読み取りを終了して排出される原稿ｄを原稿排紙皿２に載置する自動原稿送り装置１０において、操作者が原稿排紙皿２上に排出された原稿ｄを取り出す際に、原稿排紙皿２の上方に原稿給紙皿１が配置された構成の自動原稿送り装置１０においては、原稿給紙皿１と原稿排紙皿２との間に手を挿入させて原稿ｄを把持して引き出すとき、原稿給紙皿１が邪魔になり、原稿取り出し操作が困難である。このため、従来は、原稿給紙皿１を支軸３を中心にして上方に回動させ（図示の一点鎖線）、破線で示す位置に原稿給紙皿１を停止させ、原稿排紙皿２の上方空間を拡げて、原稿ｄの取り出しを容易にしていた。
【０００４】
【発明が解決しようとする課題】
図１０は、従来の自動原稿送り装置を備えた画像形成システムの正面図である。
【０００５】
従来の画像形成システムは、通常の身長の人が立っている状態で自動原稿送り装置１０の原稿を装填、取り出し操作ができるように形成されている。
【０００６】
しかし、画像形成装置３０の最上部に設置された自動原稿送り装置１０を、車椅子の人や身体障害者や大量のコピー作業をするため椅子に腰掛けたまま作業する人などが使用する場合に、原稿排紙皿２上に排出された原稿ｄを取り出すため、原稿排紙皿２の真上に配置された原稿給紙皿１を上方に回動させて原稿排紙皿２の上方空間を拡げる操作は困難であった。また、原稿給紙皿１の開放が不完全であると、原稿給紙皿１が倒れて、人身の傷害や装置の破損を発生させるおそれがある。
【０００７】
また、原稿給紙皿１を固定したまま、原稿給紙皿１と原稿排紙皿２との狭い空間から原稿ｄを取り出す事は容易ではない。
【０００８】
本発明は前記の問題を解決し、車椅子の人や身体障害者や椅子に腰掛けたまま作業する人などが使用する場合に、容易且つ安全に操作できる自動原稿送り装置を備えた画像形成装置を提供することを目的とする。
【０００９】
【課題を解決するための手段】
前記の本発明の目的は下記の発明により達成される。
【００１０】
（１）　原稿を載置する原稿給紙皿と、前記原稿給紙皿の下方に配置され、読み取り終了後に排出される原稿を載置する原稿排紙皿と、を有する自動原稿送り装置を備えた画像形成装置において、前記原稿給紙皿は軸受部材により回動可能に支持され、前記原稿給紙皿に係合する回動手段により回動されて、前記原稿排紙皿の上方空間を開放可能にすることを特徴とする画像形成装置。
【００１１】
（２）　原稿を載置する原稿給紙皿と、前記原稿給紙皿の下方に配置され、読み取り終了後に排出される原稿を載置する原稿排紙皿と、を有する自動原稿送り装置を備えた画像形成装置において、前記原稿給紙皿は軸受部材を中心にして回動可能に支持され、前記原稿給紙皿に係合して回動させ前記原稿排紙皿の上方空間を開放させる回動手段は、前記自動原稿送り装置又は画像形成装置に設けた動作開始手段により回動が開始されることを特徴とする画像形成装置。
【００１２】
（３）　原稿を載置する原稿給紙皿と、前記原稿給紙皿上の原稿を給送して原稿画像読み取り部に搬送したのち排出する原稿搬送手段と、前記原稿給紙皿の下方に配置され読み取り終了後に排出される原稿を載置する原稿排紙皿と、を有する自動原稿送り装置を備えた画像形成装置において、軸受部材を中心にして回動可能に支持された原稿排紙皿と、前記原稿排紙皿に係合して前記原稿排紙皿の奥側を持ち上げて傾斜状にする移動手段と、を有することを特徴とする画像形成装置。
【００１３】
（４）　原稿を載置する原稿給紙皿と、前記原稿給紙皿の下方に配置され、読み取り終了後に排出される原稿を載置する原稿排紙皿と、を有する自動原稿送り装置を備えた画像形成装置において、前記原稿給紙皿の下方に配置され、軸受部材を中心にして回動可能に支持された原稿排紙皿と、前記原稿排紙皿に係合して前記原稿排紙皿の奥側を持ち上げて傾斜状にする移動手段と、前記移動手段の駆動を制御する制御手段と、を有し、前記制御手段は、読み取りを終了した原稿が前記原稿排紙皿に排出終了したタイミングで、前記移動手段を駆動して前記原稿排紙皿を傾斜状に制御することを特徴とする自動原稿送り装置を備えた画像形成装置。
【００１４】
（５）　原稿を載置する原稿給紙皿と、前記原稿給紙皿の下方に配置され、読み取り終了後に排出される原稿を載置する原稿排紙皿と、を有する自動原稿送り装置を備えた画像形成装置において、前記自動原稿送り装置は、前記原稿排紙皿上に排出された原稿を載置した状態で、前記原稿排紙皿を引き出し可能にする引き出し手段を有することを特徴とする画像形成装置。
【００１５】
【発明の実施の形態】
本発明の自動原稿送り装置を備えた画像形成装置の実施の形態を図１により説明する。
【００１６】
図１は、自動原稿送り装置１０、原稿画像読み取り装置２０、画像形成装置３０から成る画像形成システムの全体構成図である。
【００１７】
［自動原稿送り装置］
自動原稿送り装置１０の原稿給紙皿１１上に第１面を上向きにして載置された原稿ｄは、原稿給紙開始信号により、第１給紙ローラ１２、分離ローラ１３によって送り出されて、第２給紙ローラ１４を経て、搬送路１５を通過して、原稿案内部材１６とスリット露光用ガラス２１の上面とが対向する原稿画像読み取り部において、原稿画像読み取り装置２０の光学系により原稿ｄの片面又は両面の画像が読み取られる。読み取り処理後の原稿ｄは排紙ローラ１７により排出され、原稿排紙皿１８上に載置される。
【００１８】
自動原稿送り装置１０は、片面原稿読み取り機能と両面原稿読み取り機能とを有する。
【００１９】
［原稿画像読み取り装置］
原稿画像読み取り装置２０の光学系は、光源２２と第１ミラー２３を備える露光ユニットＡ、第２ミラー２４と第３ミラー２５から成るＶミラーユニットＢ、結像レンズ２６、ＣＣＤイメージセンサ２７により構成されている。
【００２０】
自動原稿送り装置１０による原稿読み取りは、露光ユニットＡがスリット露光用ガラス２１の下方に停止した位置において行われる。原稿読み取りは、停止している露光ユニットＡを原稿ｄが通過するときに行われる。
【００２１】
原稿台ガラス２８上に載置された原稿ｄの読み取りは、露光ユニットＡ、ＶミラーユニットＢを移動させながら走査露光する。
【００２２】
［画像形成装置］
ＣＣＤイメージセンサ２７により光電変換されたアナログ信号は、画像形成装置３０の画像処理部３１において、アナログ処理、Ａ／Ｄ変換、シェーディング補正、画像圧縮処理等を行った後、画像書き込み部３２に信号を送る。
【００２３】
画像書き込み部３２においては、図示しない半導体レーザからの出力光が画像形成部３３の像担持体３３１に照射し潜像を形成する。画像形成部３３においては、帯電、露光、現像、転写、分離、クリーニング等の処理が行われる。給紙部の給紙カセット３４Ａ〜３４Ｄから給紙された用紙Ｓは、転写手段により画像が転写される。画像を担持した用紙Ｓは、搬送路を経て定着部３５により定着され、排紙部の排紙ローラ３６に挟持されて排紙トレイ３７上に排出される。或いは、切り替え板３８Ａにより再搬送手段３８に送り込まれた片面画像処理済みの用紙Ｓは、再び画像形成部３３において両面画像処理された後、排紙ローラ３６により排紙トレイ３７に排出される。３９は画像処理部３１、画像形成部３３、給紙部、用紙搬送部を制御する制御手段である。
【００２４】
［第１の実施の形態（原稿給紙皿の回動）］
図２は、画像形成システムの正面図、図３は、画像形成システムの斜視図である。図４は回動手段４０の斜視図である。
【００２５】
原稿給紙皿１１の基部は、自動原稿送り装置１０の本体に固設された支軸１９により回動可能に支持されている。原稿給紙皿１１は、原稿給紙皿１１に係合する回動手段４０により回動される。
【００２６】
回動手段４０は、自動原稿送り装置１０の本体の手前側と奥側に配置された軸受部材４２Ａ，４２Ｂと、軸受部材４２Ａ，４２Ｂに可動可能に支持されたレバー４１とから成る。レバー４１は、軸受部材４２Ａ，４２Ｂを貫通する回転軸部４１Ａ、手前側の操作レバー部４１Ｂ、奥側の作動レバー部４１Ｃとから成る。作動レバー部４１Ｃの先端部は原稿給紙皿１１に係合している。
【００２７】
操作者が手前側の操作レバー部４１Ｂを把持して図４に示す一点鎖線の矢印の反時計方向に回動させると、作動レバー部４１Ｃも反時計方向に回動する。回動する作動レバー部４１Ｃの先端部に係合する原稿給紙皿１１は、支軸１９を中心にして反時計方向に回動され破線で示す開放位置に停止し、ロックされる（図２参照）。この原稿給紙皿１１の開放位置において、原稿排紙皿１８の上方空間が開放状態になり、原稿排紙皿１８上に載置された原稿ｄを容易に取り出す事ができる。
【００２８】
図５は、回動手段４０の他の実施の形態を示す斜視図である。
レバー４１は、モータＭ１、歯車列Ｇ、クラッチＫにより回動される。レバー４１の動作開始は、画像形成装置３０の前面に配置した動作開始手段４３の操作により行われる。動作開始手段４３をオンにする事により、モータＭ１が駆動し、歯車列Ｇ、クラッチＫを介して回転軸部４１Ａが回転され、作動レバー部４１Ｃが立ち上がり、原稿給紙皿１１が開放状態になる。
【００２９】
レバー４１が初期位置に復帰して、モータＭ１の駆動が停止した時には、クラッチＫがオフの状態になり、原稿給紙皿１１を手動で直接開閉する事もできる。
【００３０】
［第２の実施の形態（原稿給紙皿の回動）］
図６は、第２の実施の形態の画像形成システムの正面図である。図７は、自動原稿送り装置１０の側面図を示す。
【００３１】
原稿排紙皿は、第１支軸１８Ｃに回転可能に支持された画像形成装置正面側の第１排紙皿１８Ａと、第１排紙皿１８Ａの第２支軸１８Ｄに回転可能に支持された画像形成装置背面側の第２排紙皿１８Ｂとから成る。
【００３２】
図７（ａ）は、第１排紙皿１８Ａ、第２排紙皿１８Ｂの初期状態を示す。第１排紙皿１８Ａ、第２排紙皿１８Ｂの上面はほぼ平坦な平面状をなし、この状態の第１排紙皿１８Ａ、第２排紙皿１８Ｂ上に原稿ｄが排出される。
【００３３】
自動原稿送り装置１０の奥側には、移動手段５０が配置されている。移動手段５０は、第１排紙皿１８Ａ、第２排紙皿１８Ｂの底面に接触するカム部材５１と、カム部材５１を移動させる駆動部材５２とから成る。カム部材５１と駆動部材５２とは駆動源に接続するラック、ピニオン等により駆動される。
【００３４】
図７（ｂ）は、カム部材５１の前進駆動により第２排紙皿１８Ｂが傾斜された状態を示す。原稿ｄは、水平状態の第１排紙皿１８Ａと、傾斜状態の第２排紙皿１８Ｂとの面上に載置され、画像形成装置背面側が高くなり、画像形成装置前面側に容易に取り出す事が出来る。
【００３５】
図７（ｃ）は、カム部材５１が更に装置前面側に駆動されて、第１排紙皿１８Ａと第２排紙皿１８Ｂとが傾斜した状態を示す。原稿ｄは、傾斜状態の第１排紙皿１８Ａと第２排紙皿１８Ｂとの面上に載置され、装置背面側が更に高くなり、装置前面側に滑落し易くなり、容易に取り出す事が出来る。
【００３６】
図８は、他の実施の形態の自動原稿送り装置１０の側面図である。図８（ａ），（ｂ），（ｃ）は、原稿排紙皿の移動過程を示す。
【００３７】
第１排紙皿１８Ａと第２排紙皿１８Ｂとの下方には、移動手段６０が配置されている。移動手段６０は、第１排紙皿１８Ａの底面に当接するカム６１Ａ、第２排紙皿１８Ｂの底面に当接するカム６１Ｂ、カム６１Ａ，６１Ｂを固定して回転可能に支持されたカム軸６２、モータＭ２、歯車列Ｇ、クラッチＫ等から構成されている（図８（ａ）参照）。
【００３８】
カム軸６２は、モータＭ２、歯車列Ｇ、クラッチＫにより回動される。カム軸６２の動作開始は、画像形成装置３０の前面に配置した動作開始手段４３の操作により行われる。動作開始手段４３をオンにする事により、モータＭ２が駆動し、歯車列Ｇ、クラッチＫを介してカム軸６２が回転され、カム６１Ｂが第２排紙皿１８Ｂの底面を押し上げる。第２排紙皿１８Ｂは第２支軸１８Ｄを中心にして傾斜状になる。第１排紙皿１８Ａと傾斜状になった第２排紙皿１８Ｂとの上面に載置された原稿ｄは、自動原稿送り装置１０の前面側に滑降し、容易に取り出される（図８（ｂ）参照）。
【００３９】
モータＭ２が更に駆動されると、カム軸６２の回転により、カム６１Ａが第１排紙皿１８Ａの底面を押し上げ、カム６１Ｂが第２排紙皿１８Ｂの底面を更に押し上げ、第１排紙皿１８Ａと第２排紙皿１８Ｂとはほぼ同一平面状の傾斜面に形成される。傾斜状になった第１排紙皿１８Ａと第２排紙皿１８Ｂとの上面に載置された原稿ｄは、自動原稿送り装置１０の前面側に滑降し、更に容易に取り出される（図８（ｃ）参照）。
【００４０】
制御手段３９は、読み取りを終了した原稿ｄが第１排紙皿１８Ａ、第２排紙皿１８Ｂに排出終了したタイミングで、移動手段５０又は移動手段６０を駆動して第１排紙皿１８Ａ、第２排紙皿１８Ｂの奥側を持ち上げて傾斜状に保持するように制御する。
【００４１】
［第３の実施の形態（原稿給紙皿の移動）］
図９は、第３の実施の形態の自動原稿送り装置１０の分解斜視図である。
【００４２】
自動原稿送り装置１０の前面外装体７１Ａに凹溝部７２Ａを、背面外装体７１Ｂに凹溝部７２Ｂを穿設する。また、原稿排紙皿７３には、凹溝部７２Ａに嵌合する前面側の凸溝部７３Ａ、凹溝部７２Ｂに嵌合する背面側の凸溝部７３Ｂが形成されている。
【００４３】
原稿排紙皿７３は、凹溝部７２Ａ，７２Ｂ、凸溝部７３Ａ，７３Ｂの嵌合により、自動原稿送り装置１０に引き出し可能、又は着脱可能に装着される。原稿排紙皿７３を自動原稿送り装置１０の排紙部に装着した状態で、自動原稿送り装置１０の排紙ローラ１７（図１参照）から排出された原稿ｄが原稿排紙皿７３の上面凹部に載置される。
【００４４】
原稿排紙皿７３の引き出しは、手動操作、又は電動により速やかに行われる。原稿排紙皿７３が引き出された状態で、原稿排紙皿７３上の原稿ｄを容易に取り出す事が出来る。
【００４５】
【発明の効果】
請求項１、２の発明の回動手段により、車椅子等で作業する人でも、自動原稿送り装置の前面側に突出したレバーを操作して、原稿給紙皿を上方に回動させ、原稿排紙皿の上方の作業空間を広げる事により、原稿排紙皿上に排出された原稿を容易に取り出す事が可能である。
【００４６】
請求項３の発明の回動手段により、画像形成装置に配置された動作開始手段によって、回動手段を駆動させて給紙皿を上方に回動させ、原稿排紙皿の上方空間を開放させ、原稿排紙皿上に排出された原稿を容易に取り出す事が可能である。
【００４７】
請求項４の発明の移動手段により、原稿排紙皿の奥側を持ち上げて傾斜状にする事により、原稿排紙皿上に排出された原稿を容易に取り出す事が可能である。
【００４８】
請求項５の発明の制御手段により、読み取りを終了した原稿が第１排紙皿、第２排紙皿に排出終了したタイミングで、制御手段が移動手段を駆動して第１排紙皿、第２排紙皿の奥側を持ち上げて傾斜状に保持するように制御する事により、原稿排紙皿上に排出された原稿を速やかに取り出す事が可能である。
【００４９】
請求項６の発明により、原稿排紙皿上に排出された原稿を載置した状態で、原稿排紙皿を引き出し手段により自動原稿送り装置から引き出し可能にする事により、原稿排紙皿上に排出された原稿を容易に取り出す事が可能である。
【図面の簡単な説明】
【図１】自動原稿送り装置、原稿画像読み取り装置、画像形成装置から成る画像形成システムの全体構成図。
【図２】画像形成システムの正面図。
【図３】画像形成システムの斜視図。
【図４】回動手段の斜視図。
【図５】回動手段の他の実施の形態を示す斜視図。
【図６】第２の実施の形態の画像形成システムの正面図。
【図７】自動原稿送り装置の側面図。
【図８】他の実施の形態の自動原稿送り装置の側面図。
【図９】第３の実施の形態の自動原稿送り装置の分解斜視図。
【図１０】従来の自動原稿送り装置を備えた画像形成システムの一例を示す正面図。
【符号の説明】
１０　自動原稿送り装置
１１　原稿給紙皿
１７　排紙ローラ
１８Ａ　第１排紙皿
１８Ｂ　第２排紙皿
１８Ｃ　第１支軸
１８Ｄ　第２支軸
３０　画像形成装置
３９　制御手段
４０　回動手段
４１　レバー
４３　動作開始手段
５０　移動手段
５１　カム部材
６０　移動手段
６１Ａ，６１Ｂ　カム
７２Ａ，７２Ｂ　凹溝部
７３　原稿排紙皿
７３Ａ，７３Ｂ　凸溝部
Ｍ１，Ｍ２　モータ
ｄ　原稿
【図１】
2004021189.tif 000003
【図２】
2004021189.tif 000004
【図３】
2004021189.tif 000005
【図４】
2004021189.tif 000006
【図５】
2004021189.tif 000007
【図６】
2004021189.tif 000008
【図７】
2004021189.tif 000009
【図８】
2004021189.tif 000010
【図９】
2004021189.tif 000011
【図１０】
2004021189.tif 000012